(57)【要約】      （修正有）【課題】各利用者の第一曲目の選曲時間を短縮し、スムーズな歌い出しが可能になり、効率的で速やかな選曲により、他の利用者に迷惑をおよばさないカラオケシステムの提供。【解決手段】各利用者の利用時に、その最初に選曲した楽曲をカラオケ装置またはカラオケホスト装置に記録管理し、任意の利用者がＩＤ識別機能を使用してシステムにログインが認識され所定時間経過後に、当該利用者の最初に選出された楽曲の最も頻度の高い楽曲を抽出し、利用者に適宜のタイミングで推薦するシステムを構築した。【選択図】図１
2006208963.tif 000002
【特許請求の範囲】
【請求項１】
利用者ＩＤ識別機能および演奏予約機能を備えたカラオケ装置を利用したシステムであり、
（ア）  利用者を特定し、システムにログインするための利用者ＩＤ識別手段と、
（イ）  各利用者の利用時に、利用者ＩＤ毎、その最初に選曲した楽曲の演奏履歴を利用者
別第一選曲履歴管理部に記録し、管理するための第一演奏履歴記録手段と、
（ウ）  利用者ＩＤによるシステムへのログインが認識されてから所定の経時後、任意の利
用者が最初の曲を選曲していない場合、前記利用者別第一選曲履歴管理部を参照し、当該利用者の最も選曲頻度の高い楽曲を抽出し、適宜のタイミングで、その楽曲を選曲可能とする推薦情報を表示させるための推薦情報抽出表示手段と、
（エ）  前記各手段を総括的に制御するための中央制御手段と
を具備してなるカラオケシステム。
【請求項２】
前記カラオケ装置とネットワーク通信接続されたカラオケホスト装置とを主体とし、当該カラオケホスト内に前記利用者別第一選曲履歴管理部が設けられてなる請求項１記載の具備するカラオケシステム。
【発明の詳細な説明】
【技術分野】
【０００１】
本発明は、カラオケ装置の演奏予約時に各利用者の第一曲目の楽曲を抽出し、適宜のタイミングで選曲可能とするシステムに関する。
【背景技術】
【０００２】
現在のカラオケ装置は、利用者が演奏予約を行い楽曲が演奏されるようなシステムである。この楽曲予約は、利用者が目次本や楽曲検索機能付きリモコンを使用して行い、その演奏履歴はカラオケ装置やネットワーク通信により接続されてカラオケホスト装置に記録されている。例えば、特許文献１では、各利用者に割り当てられた利用者ＩＤを使用して、全国的な利用履歴を反映した楽曲を利用者に推薦する技術が開示されている。
【０００３】
また、従来のカラオケシステムでの演奏予約に関し、一定時間内に演奏予約がない時に
は、おすすめ曲を推薦する技術が開示されている。例えば、特許文献２では、カラオケ演
奏装置に一定時間内に演奏予約がない時は、人気曲やジャンル別または歌手別の情報を利
用者に与える技術が開示されている。
【特許文献１】特開平１１−５２９６５号公報
【特許文献２】特開２０００−３３８９８３号公報
【発明の開示】
【発明が解決しようとする課題】
【０００４】
しかしながら、一般的に利用者は第一曲目の選曲を迷うことが多くなかなか歌い出しができなかったり、選曲に戸惑ったりする。そこで本発明は、各利用者の第一曲目の選曲時間を短縮し、スムーズな歌い出しが可能になり、効率的で速やかな選曲により、他の利用者に迷惑を及ばさないカラオケシステムの構築を目的とする。
【課題を解決するための手段】
【０００５】
上記課題を鑑み、本発明は各利用者の、その最初に選曲した楽曲をカラオケ装置またはカラオケホスト装置に記録管理し、利用時に、任意の利用者がＩＤ識別機能を使用してシステムにログインが認識され所定時間経過後に、当該利用者の最初に選出された楽曲の最も頻度の高い楽曲を抽出し、利用者に適宜のタイミングで推薦することにより上記課題を解決できることを見出し、本発明のカラオケシステムを想到した。
【０００６】
すなわち、本発明の請求項１記載のカラオケシステムは、利用者ＩＤの認識機能および演奏予約機能を備えたカラオケ装置であり、
（ア）利用者を特定し、システムにログインするための利用者ＩＤ識別手段と、
（イ）各利用者の利用時に、利用者ＩＤ毎、その最初に選曲した楽曲の演奏履歴を利用者
別第一選曲履歴管理部に記録し、管理するための第一演奏履歴記録手段と、
（ウ）利用者ＩＤによるシステムへのログインが認識されてから所定の経時後、任意の利
用者が最初の曲を選曲していない場合、前記利用者別第一選曲履歴管理部を参照し、当該利用者の最も選曲頻度の高い楽曲を抽出し、適宜のタイミングで、その楽曲を選曲可能とする推薦情報を表示させるための推薦情報抽出表示手段と、
（エ）  前記各手段を総括的に制御するための中央制御手段と
を具備してなることを特長とする。
【０００７】
前記カラオケ装置とネットワーク通信接続されたカラオケホスト装置とを主体とする請求項１記載の前記利用者別第一選曲履歴管理部を具備するカラオケシステムであることを特徴とする。
【発明の効果】
【０００８】
本発明の請求項１記載のカラオケシステムによれば、カラオケ装置に記録された楽曲の演奏履歴を使用することにより、利用者別の第一選曲を利用者別第一選曲履歴管理部として管理することが可能となり、この利用者別第一選曲管理履歴部と利用者ＩＤ識別手段を使用し、システムログインが認識されてから所定の経時後、利用者が最初の曲を選曲していない場合は、利用者別第一選曲管理履歴部を参照し、最も選曲頻度の高い楽曲を抽出し、適宜のタイミングでその楽曲を選曲可能とすることにより、各利用者の第一曲目の選曲時間を短縮し、スムーズな歌い出しが可能になり、効率的で速やかな選曲により、他の利用者に迷惑を及ぼさず、検索時間を短縮するといった効果を奏する。
【０００９】
さらに、本発明の請求項２記載のカラオケシステムによれば、カラオケホスト装置内の利用者別第一選曲履歴管理部のデータを、カラオケホスト装置にネットワーク通信接続された如何なるカラオケ装置からも収集できると共に、如何なるカラオケ装置へもカラオケホスト装置に記録された情報を還元することにより、どこのカラオケ装置からでも同じサービスが受けられるといった効果を奏する。
【発明を実施するための最良の形態】
【００１０】
以下、本発明のカラオケシステムについての最適な実施例を挙げ、先ず、図１にカラオケシステムを構成するカラオケ装置のブロック図に基づき説明する。
【実施例１】
【００１１】
図１は、本発明のカラオケシステムを構成するカラオケ装置のブロック構成図である。本実施例におけるカラオケ装置（Ｐ）は、主に中央制御手段（２）と、これに接続される各種機能手段およびハードディスク（４）などから構成される。ここでカラオケ装置（Ｐ）における各構成要素について説明する。先ず、通信制御手段（１２）は、ＡＤＳＬ回線、ＩＳＤＮ回線、一般電話回線などのネットワーク通信回線を介して行われるカラオケホスト装置との通信を制御するためのものである。また、利用者ＩＤ識別手段（３）にて認識された利用者のＩＤを、そのログインからログアウトまでを総括管理するもので、この利用者ＩＤ識別手段（３）によって、一度、その利用者ＩＤをもってログインした利用者が所定の操作処理をした場合、その利用者が特定される。なお、利用者ＩＤの認識については、ＩＤカードを用いることに限らず、例えば、パスワードの入力や指紋や音声などの生体認識機能に依るものであっても構わない。
【００１２】
次に、音声生成プロセスについて説明する。音源（６）は中央制御手段（２）が実行するシーケンサ（１４）の処理によって入力され、ミキサ（７）は音源（６）が発生した複数の楽音信号やカラオケマイクとＡ/Ｄコンバータ（９）を介して入力された歌唱者の歌唱音声信号を適当なバランスでミキシングする。ミキシングされたデジタル音声信号はサウンドシステム（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１３】
ハードディスク（４）に記録されている楽曲データ（１８）における映像データは、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換し合成回路（１１）に入力し、この合成回路（１１）は、背景映像の映像信号上にテロップや採点ＯＳＤを合成し、合成された映像信号は表示手段（Ｄ）に表示される。
【００１４】
そして、リモコン装置（Ｒ）は、楽曲検索機能あるいは楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列に楽曲コードを演奏予約する。
【００１５】
この演奏予約された楽曲の演奏終了後、演奏された楽曲は利用者別選曲演奏履歴（２１）が記録される。利用者別選曲演奏履歴が記録された楽曲は第一演奏履歴記録手段（１６）を使用して第一曲目のみ利用者別第一選曲履歴管理部（２２）に設けられた、利用者別第一選曲履歴管理テーブル（Ｔ）で記録して管理される。利用者がＩＤ識別機能を使用してログインが認識され所定時間経過後に、利用者が最初の楽曲を予約していない場合に、この利用者別第一選曲履歴管理テーブル（Ｔ）で管理されている楽曲の内、最も頻度の高い楽曲を、推薦情報抽出表示手段（１５）を使用してリモコン装置（Ｒ）或いは、表示手段（Ｄ）に表示する。
【００１６】
このリモコン装置（Ｒ）は、その内蔵二次電池に充電するための専用架台が必要となるが、この専用架台には、充電手段の他、利用者ＩＤを認識し、当該利用者のログインを認識するためのＩＤカード読み取り／書き込み装置（３）が付帯されている。この読み取り／書き込み装置（３）は非接触のＩＣモジュールを搭載したカードを対象とする装置であり、ＩＤカードに紐付けされた利用者ＩＤを特定するものである。勿論、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体認識機能に依る機構の利用者認識手段を利用しても構わない。なお、このカラオケ装置と通信したり、さらには、ＶＰＮ（Virtual Private Network）を介してカラオケホスト装置と通信したりできる。
【００１７】
次に、図２に示す、利用者別第一選曲履歴管理テーブルの概略図と、図３に示す、第一楽曲おすすめインタフェース表示画面につき、本発明における第一楽曲として最も頻度の高い楽曲の表示手順について説明する。
【００１８】
図２は、利用者別選曲演奏履歴に記録された第一楽曲を管理したテーブルである。この利用者別第一選曲履歴管理テーブル（Ｔ）は、各利用者の利用時に、利用者ＩＤ毎、その最初に選曲した楽曲の演奏履歴を記録して管理するためのもので、その構成要素としては、利用者を特定するための「利用者ＩＤ」フィールド（ｆ１）と、これに紐付けして、第一楽曲のみを管理する「楽曲コード」フィールド（ｆ２）と、楽曲予約あるいは歌唱した時の発生日時を示す「日時」フィールド（ｆ３）などからなる。
【００１９】
次に図３は利用者に対する、第一曲おすすめインタフェースである。利用者はＧＵＩ操作パネル（Ｒａ）を使用してカラオケ楽曲の検索や予約などを入力操作できる。図１に示す利用者ＩＤ識別手段（３）にて特定された利用者に基づく利用者表示部（Ｒｂ）と、利用者に第一楽曲として推薦する、メニューアイテムアイコン（Ｒｃ）などが設けられており、当該利用者がこのアイコンを使用することにより、カラオケ装置の予約待ち行列に利用者別に記録される。
【００２０】
次に、図４に示す、カラオケリモコン装置の外観斜視図と、図５に示す、利用者別ログイン・ログアウト指示のインタフェースに基づき、選曲した楽曲の利用者の特定方法について説明する。
【００２１】
図４は、ＧＵＩ操作パネル（Ｒａ）が備えられたリモコン装置（Ｒ）の外観斜視図であり、利用者ＩＤ登録を行う画面である。図５に示す、利用者ＩＤ識別手段にてシステムログインする、お客様メンバーズゲート画面（４０）内のゲートアイコン(４０ａ)が形成される。その後、当該利用者はゲートアイコン（４０ａ）を選択し、楽曲予約を行うことにより、利用者ＩＤ毎にその最初に選曲した楽曲の演奏履歴を、カラオケ装置およびカラオケホスト装置に記録する。
【００２２】
次に、図６に示す、本発明のカラオケシステムの全体構成図と、図７に示す、本発明のカラオケシステムを構成するカラオケホスト装置のブロック構成図に基づき、本発明におけるカラオケ装置とカラオケホスト装置との関係と共に当該カラオケホスト装置に設けられた利用者別第一選曲履歴管理部について説明する。
【００２３】
図６は、本発明のカラオケシステムのネットワーク構成図である。本実施例のカラオケシステム（１）は、カラオケホスト装置（Ｈ）と、ネットワーク通信回線（Ｎ）、インターネット網（Ｎｉ）、さらには、ＶＰＮを介して通信接続され、利用者ＩＤの認識機能および歌唱力の採点機能を有したカラオケ装置（Ｐ）を主体としてなる。詳しくは、先ず、カラオケ装置（Ｐ,Ｐ・・・・）には、利用者ＩＤ毎に演奏履歴が記録されており、カラオケホスト装置（Ｈ）は大容量の記憶手段を備え、この記憶手段には各カラオケ装置（Ｐ,Ｐ・・・・）から収集した利用者ＩＤ毎の演奏履歴が記憶されている。一方、カラオケ装置（Ｐ）は、カラオケホスト装置（Ｈ）からダウンロードされた楽曲データを読み出して音源に供給することによりカラオケ演奏の楽音を形成する。
【００２４】
次に、図７は本発明のカラオケシステムを構成するカラオケホスト装置のブロック構成図である。カラオケホスト装置（Ｈ）は、通信制御インタフェース（３０）を使用してカラオケ装置（Ｐ）と通信を行い、中央制御手段（３１）の指示により、ハードディスク（３２）には、前述したカラオケ装置と同様に、利用者ＩＤ（３３）、利用者別選曲履歴（３４）、および利用者別第一選曲履歴管理テーブル（Ｔ）を備えた利用者別第一選曲履歴部（３５）が設けられている。また、カラオケホスト装置より保存したデータをカラオケ装置にダウンロードすることも可能である。
【００２５】
以上、説明したように、本発明のカラオケシステムによれば、システムログインが認識
されたてから所定の経時後、最も頻度の高い楽曲を抽出することにより、利用者は第一曲
目の選曲時間を短縮し、選曲に戸惑ったり、迷ったりせずに、スムーズな歌い出しが可能
となり、検索時間の短縮が図れる。
【図面の簡単な説明】
【００２６】
【図１】カラオケシステムを構成するカラオケ装置のブロック構成図
【図２】利用者別第一選曲履歴管理テーブルの概略図
【図３】第一曲おすすめインタフェース表示画面
【図４】カラオケリモコン装置の外観斜視図
【図５】利用者別ログイン・ログアウト指示のインタフェース表示画面
【図６】本発明のカラオケシステムの全体構成図
【図７】本発明のカラオケシステムを構成するカラオケホスト装置のブロック構成図
【符号の説明】
【００２７】
Ｐ        カラオケ装置
２,３１   中央制御手段
３        ＩＤカード読み取り／書き込み装置（利用者ＩＤ識別手段）
４,３２   ハードディスク
１５     
推薦情報抽出表示手段
１６     
第一演奏履歴記録手段
１９,３３ 利用者ＩＤ
２１,３４ 利用者別選曲演奏履歴
２２,３５ 利用者別第一選曲履歴管理部
Ｔ        利用者別第一選曲履歴管理テーブル
Ｒ        リモコン装置
【図１】
2006208963.tif 000003
【図２】
2006208963.tif 000004
【図３】
2006208963.tif 000005
【図４】
2006208963.tif 000006
【図５】
2006208963.tif 000007
【図６】
2006208963.tif 000008
【図７】
2006208963.tif 000009